(57)【要約】      （修正有）【課題】折り畳むだけでスプーン、フォーク、ナイフなどの保護カバーとして兼用できるペーパーナプキンを提供する。【解決手段】二つ折りされた矩形のペーパーナプキンの合わせ位置の両先端３、４がずれており、この両先端３、４のずれた部分が外側に配置され、二つ折り方向と直角の方向に巻き四つ折りがなされており、ずれた部分が挿入口５となり、両側部６及び底部７が封止されて袋部２が形成されている。【選択図】図１
0003220362.tif 000002
【実用新案登録請求の範囲】
【請求項１】
二つ折りされた矩形のペーパーナプキンの合わせ位置の両先端がずれており、この両先端のずれた部分が外側に配置され、前記二つ折り方向と直角の方向に巻き四つ折りがなされており、前記ずれた部分が挿入口となり、両側部及び底部が封止されて袋部が形成されている折り畳まれたペーパーナプキン。
【請求項２】
前記ずれた部分において、ずれ下がった方の先端が折り返されていることを特徴とする請求項1に記載の折り畳まれたペーパーナプキン。
【請求項３】
前記巻き四つ折りに代えて、観音折りがなされていることを特徴とする請求項１または２に記載の折り畳まれたペーパーナプキン。
【請求項４】
前記巻き四つ折りに代えて、巻き三つ折りがなされていることを特徴とする請求項１または２に記載の折り畳まれたペーパーナプキン。
【考案の詳細な説明】
【技術分野】
【０００１】
本考案はレストラン、ホテル等において飲食する際に使用するナプキンに関し、特に食卓にスプーン、フォーク、ナイフ等をセットする際に、それらの保護カバーを兼用するナプキンに関する。
【背景技術】
【０００２】
レストランなどでの食事において、スプーン、フォーク、ナイフなどは折り畳んだナプキンの上に置いたり、折り畳んだナプキンの間に挟んでカバーしたりして皿などの脇に配置される。この場合、ナプキンが布製の場合は、折り畳んだナプキンの間に挟み込むことでスプーンなどのカバーは容易にできるが、使い捨てナプキンとしてよく用いられるペーパーナプキンの場合は、ナプキンの間に挟み込んだだけでは、カバーしたナプキンが少しの風で巻き上がったり、ナプキンの間から食み出してしまったりすることが多く、保護カバーとして機能させるには難があった。
【０００３】
そのため、特許文献1に示されるように、ペーパーナプキンをスプーンなどの保護カバーとして用いるために、一枚のナプキン紙を一回または複数回同方向に折り畳み、最後に折り畳み方向と直角に折り返して重なる二つの紙片の開放した二つの側辺の一方を接着して、二辺が閉じたスプーンなどの挿入部を形成して、ペーパーナプキンを保護カバーとして機能させることが提案されている。
【０００４】
この提案されたペーパーナプキンは、スプーンなどのカバーを兼用するものではあるがペーパーナプキンは折り畳んだのちに、側辺の一方を接着している。そのため、製作に手間が掛かり、ナプキンとして使用する場合には、この接着部を剥離して用いるため、用いる接着剤は食品衛生上、無害であり、かつ、接着力は適度に低く、容易に剥離できることが必要となり、接着剤は特殊のものが必要となる。
【先行技術文献】
【特許文献】
【０００５】
【特許文献１】登録実用新案第３００５３００号公報
【考案の概要】
【考案が解決しようとする課題】
【０００６】
本考案の課題は、折り畳むだけでスプーン、フォーム、ナイフなどの保護カバーとして兼用できるペーパーナプキンを提供することである。
【課題を解決するための手段】
【０００７】
本考案のペーパーナプキンは、二つ折りされた矩形のペーパーナプキンの合わせ位置の両先端がずれており、この両先端のずれた部分が外側に配置され、前記二つ折り方向と直角の方向に巻き四つ折りがなされており、前記ずれた部分が挿入口となり、両側部及び底部が封止されて袋部が形成されている折り畳まれたペーパーナプキンである。通常では、紙などの二つ折りは、二つ折りされた両先端の位置をずれることなく重ね合わせて、ちょうど半分にして折り畳むが、本考案のペーパーナプキンでは、二つ折りされた両先端の位置がずれていることを特徴としている。
【０００８】
そして、上記のペーパーナプキンの両先端のずれた部分において、ずれ下がった方の先端が折り返されていることが好ましく、さらに、前記巻き四つ折りに代えて、観音折り又は巻き三つ折りであってもよい。
【考案の効果】
【０００９】
本考案のペーパーナプキンは、接着剤を使用することなく折り畳むだけで、スプーンなどを収納して保護できる袋部が形成されており、スプーンなどの保護カバーを兼用しているナプキンである。この形成された袋部は、挿入口以外の両側部及び底部が封止されており、収納されたスプーンなどをしっかりと保護することができる。
【００１０】
また、二つ折りされたナプキンの両先端の合わせ位置がずれて、挿入口となっているために、スプーンなどの出し入れが容易にできる。さらに、ずれ下がった方の先端が折り返された場合、該先端が二重となるため、挿入口が補強され、スプーンなどの出し入れに際して、挿入口の破損を防ぐことができる。
【図面の簡単な説明】
【００１１】
【図１】スプーンなどを収納した本考案のペーパーナプキンの平面説明図。
【図２】本考案のペーパーナプキンの折り畳み形態の説明図。
【図３】巻き折り形態の説明図。
【考案を実施するための形態】
【００１２】
本考案の具体的な形態について、以下図を基にさらに詳細に説明をする。
【００１３】
図１は、矩形のペーパーナプキンが折り畳まれた本考案のペーパーナプキン１の平面説明図であり、折り畳まれることで形成された袋部２にスプーンとフォークを収納した状態を示している。二つ折りされた矩形のペーパーナプキンの両先端３、４の合わせ位置がずれており、収納物の出し入れが容易な挿入口５となり、二つ折り方向と直角の方向に、さらに巻き四つ折りされていることで、両側部６と底部７とが封止され、袋部２が形成されている。また、図１、２では折り畳み前のペーパーナプキンの四周にエンボス加工８、９が施された実施例を示したが、これは折り畳み状態を明確に図示するためであり、エンボス加工８、９は本考案においては必須ではなく適宜施されるものである。
【００１４】
図２は、折り畳まれたペーパーナプキンの折り畳み形態を二つ示したものである。左側に示した折り畳みは、工程（ａ）〜（ｄ）により行うことができ、（ａ）では、矩形ＡＢＣＤで示される矩形のペーパーナプキンを線分ＥＦで谷折りして二つ折りとする。この二つ折りされたペーパーナプキンは（ｂ）で示すように、その両先端である線分ＡＤとＢＣの合わせ位置はずらされている。（ｂ）と（ｃ）では、このずれた部分を外側に配置して、二つ折りの方向と直角方向に巻き四つ折りしている。（ｂ）では、線分ＡＤ、ＢＣ及びＥＦの各中間点Ｇ、Ｉ及びＨを結ぶ線で山折りする。次いで（ｃ）において線分ＤＧ、ＣＩ及びＦＨの各中間点Ｊ、Ｌ及びＫを結ぶ線で山折りすることで、巻き四つ折りがなされ、（ｄ）に示すように、ずれた合わせ部分である矩形ＧＪＬＩが挿入口５となり、それぞれ山折りされた線分ＩＨとＬＫがそれぞれ封止された側部６となり、線分ＨＫが封止された底部７となり袋部２を形成している。
【００１５】
図２で右側に示した折り畳みは、工程（ａ1）〜（ｄ1）により行うことができ、（ａ1）では、矩形Ａ1Ｂ1Ｃ1Ｄ1で示される矩形のペーパーナプキンを等分する線分Ｅ1Ｆ1で谷折りして二つ折りとする。線分Ｅ1Ｆ1は等分線であるため、線分Ａ1Ｄ1とＢ1Ｃ1とは、ずれることなく重なり合うが、（ｂ1）に示すように、線分Ｂ1Ｃ1で示される端部が外側に折り返されて、線分Ｂ2Ｃ2で示される新しい端部となり、折り返された後の端部と折り返されなかった端部Ａ1Ｄ1とはずれた合わせ位置となる。この外側への折り返しは、二つ折りの前に行っても、二つ折りの後に行っても形状は同じとなるので、いずれの工程で行ってもよく、さらには、外側でなく内側に折り返してもよい。そして、（ｂ1）と（ｃ1）とにおいては、左側に示した工程と同様に、このずれた部分を外側に配置して、二つ折りの方向と直角方向に巻き四つ折りがなされ、（ｄ1）に示すように、ずれた部分である矩形Ｇ1Ｊ1Ｌ2Ｉ2が挿入口５となり、それぞれ山折りされた線分Ｉ2Ｈ1とＬ2Ｋ1がそれぞれ封止された側部６となり、線分Ｈ1Ｋ1が封止された底部７となり袋部２を形成している。挿入口５を形成している線分Ｉ2Ｌ2は折り返された端部となっており、補強されているため、スプーンなどの出し入れに際して破損することが低減されており、好ましい態様である。
【００１６】
図２に示された折り畳みでは、いずれも、矩形のペーパーナプキンは先端の合わせ位置がずれた状態で二つ折りされ、さらに、この二つ折り方向と直角の方向に巻き四つ折りされていることで、スプーンなどを収納できる袋部２が形成されている。この場合、先端の合わせ位置がずれていることで挿入口５が形成され、二つ折りの折り目が封止された底部７を形成し、そして、巻き四つ折りされることで、両側部６が封止され、袋部２が形成される。
【００１７】
そして、両側部６が封止されるためには、図２に示したような、二つ折り方向と直角の方向に巻き四つ折りする以外の巻き折りであってもよい。図３（ア）に示すのは、以上説明してきた巻き四つ折りであるが、（イ）に示す観音折りや（ウ）に示す巻き三つ折りであってもよい。（イ）に示す観音折りでは、両側部６が封止された袋部２は、折り畳まれたペーパーナプキンの表裏の二箇所に形成することができ、ペーパーナプキンの表裏を気にすることなく、食卓に配置することができる。
【００１８】
二つ折り方向と直角の方向に巻き折りは四つ折りや三つ折りだけでなくそれ以上の巻き折りであれば、袋部２の両側部６が封止されるため、用いることができるが、矩形のペーパーナプキンとしては、通常大きさは一辺の大きさは通常４５ｃｍ以下であり、スプーンとを収納するための大きさを考慮すると、四つ折りが使いやすい大きさである。
【００１９】
以上のように、本考案の折り畳まれたペーパーナプキンは、接着などの加工を施すことなく、折り畳むだけで、スプーンなどを収納し、保護カバーとしての機能を兼用するペーパーナプキンであり、一般家庭の食卓から、ホテルレストランで便利に使用できるナプキンとなる。
【符号の説明】
【００２０】
１    折り畳まれたペーパーナプキン
２    袋部
３、４    先端
５    挿入口
６    側部
７    底部
８、９  エンボス加工
Ａ〜Ｌ    ペーパーナプキンの頂点、辺の各点（数字下付きも含む）
【図１】
0003220362.tif 000003
【図２】
0003220362.tif 000004
【図３】
0003220362.tif 000005